(57)【要約】【課題】  共通の流体供給手段から流体を供給し、複数の可動部をそれぞれのシリンダにより作動させる際に、複数の可動部を確実かつ良好に作動または保持することができる成形機の制御方法を提供する。【解決手段】  共通の流体供給手段から流体を供給し、複数の可動部を各シリンダにより個別に作動させる成形機の制御方法において、流体供給手段２３から各シリンダ３０，３１に流体を供給する各分岐管路３４，３５には前記シリンダ３０，３１からの流体の戻りを阻止する逆止弁は配設されておらずシリンダ３０，３１に流体を供給または封じ込め可能な切換弁３８，３９が配設されており、１成形サイクル中に少なくとも一つの可動部２８のシリンダ３０に前記流体供給手段２３から流体を供給して該可動部２８を作動させる際に、作動されない可動部２９のシリンダ３１は前記切換弁３９により流体が封じ込められる。【選択図】図１
2017035828.tif 000002
【特許請求の範囲】
【請求項１】
共通の流体供給手段から流体を供給し、複数の可動部を各シリンダにより個別に作動させる成形機の制御方法において、
前記流体供給手段から各シリンダに流体を供給する各分岐管路には前記シリンダからの流体の戻りを阻止する逆止弁は配設されておらずシリンダに流体を供給または封じ込め可能な切換弁が配設されており、
１成形サイクル中に少なくとも一つの可動部のシリンダに前記流体供給手段から流体を供給して該可動部を作動させる際に、
作動されない可動部のシリンダは前記切換弁により流体が封じ込められることを特徴とする成形機の制御方法。
【請求項２】
１成形サイクル中に前記流体供給手段から少なくとも一つの可動部のシリンダに流体を供給して該可動部を作動させる直前または作動と同時に、作動されない可動部のシリンダは切換弁により流体が供給される状態から流体が封じ込められる状態に切換えられることを特徴とする請求項１に記載の成形機の制御方法。
【請求項３】
前記分岐回路および前記流体供給手段と分岐管路の間の主管路には蓄圧手段が配設されていないことを特徴とする請求項１または請求項２に記載の成形機の制御方法。
【発明の詳細な説明】
【技術分野】
【０００１】
本発明は共通の流体供給手段から流体を供給し、複数の可動部をそれぞれのシリンダにより作動させる成形機の制御方法に関するものである。
【背景技術】
【０００２】
共通の流体供給機構から送られる流体により複数の可動部を作動させる成形機としては、特許文献１に記載されたものが知られている。特許文献１は油圧ポンプ７８から送られる作動油をアキュームレータ９０に蓄えて中子シリンダ５０及び５２を作動させて中子（可動部）の出し入れを行うものである。特許文献１では、アキュームレータ９０を使用することにより油圧ポンプ７８の容量は比較的小さいものでもよいことが記載されている。
【先行技術文献】
【特許文献】
【０００３】
【特許文献１】実開昭６２−８７８１４号公報（実用新案登録請求の範囲、第８頁〜第９頁、第１図）
【発明の概要】
【発明が解決しようとする課題】
【０００４】
しかしながら特許文献１では、各中子を単独で作動させる際のことは想定されていないものであった。また特許文献１では、蓄圧手段であるアキュームレータを使用するため設備が高額になるという問題があった。
【０００５】
本発明では上記の問題を鑑みて、共通の流体供給手段から流体を供給し、複数の可動部をそれぞれのシリンダにより作動させる際に、複数の可動部を確実かつ良好に作動または保持することができる成形機の制御方法を提供することを目的とする。
【課題を解決するための手段】
【０００６】
本発明の請求項１に記載の成形機の制御方法は、共通の流体供給手段から流体を供給し、複数の可動部を各シリンダにより個別に作動させる成形機の制御方法において、前記流体供給手段から各シリンダに流体を供給する各分岐管路には前記シリンダからの流体の戻りを阻止する逆止弁は配設されておらずシリンダに流体を供給または封じ込め可能な切換弁が配設されており、１成形サイクル中に少なくとも一つの可動部のシリンダに前記流体供給手段から流体を供給して該可動部を作動させる際に、作動されない可動部のシリンダは前記切換弁により流体が封じ込められることを特徴とする。
【０００７】
本発明の請求項２に記載の成形機の制御方法は、請求項１において、１成形サイクル中に前記流体供給手段から少なくとも一つの可動部のシリンダに流体を供給して該可動部を作動させる直前または作動と同時に、作動されない可動部のシリンダは切換弁により流体が供給される状態から流体が封じ込められる状態に切換えられることを特徴とする。
【０００８】
本発明の請求項３に記載の成形機の制御方法は、請求項１または請求項２において、前記分岐回路および前記流体供給手段と分岐管路の間の主管路には蓄圧手段が配設されていないことを特徴にする。
【発明の効果】
【０００９】
本発明の成形機の制御方法は、共通の流体供給手段から流体を供給し、複数の可動部を各シリンダにより個別に作動させる成形機の制御方法において、前記流体供給手段から各シリンダに流体を供給する各分岐管路には前記シリンダからの流体の戻りを阻止する逆止弁は配設されておらずシリンダに流体を供給または封じ込め可能な切換弁が配設されており、１成形サイクル中に少なくとも一つの可動部のシリンダに前記流体供給手段から流体を供給して該可動部を作動させる際に、作動されない可動部のシリンダは前記切換弁により流体が封じ込められるので、複数の可動部を確実かつ良好に作動または保持することができる。
【図面の簡単な説明】
【００１０】
【図１】本実施形態に用いられる射出成形機と射出金型を示す概略説明図である。
【発明を実施するための形態】
【００１１】
本発明の実施形態の射出成形機１１について、図１を参照して説明する。成形機の一種である横型の射出成形機１１は、型締装置１２と第１の射出装置１３と第２の射出装置１４とから構成されている。型締装置１２は、成形金型２７のうち一方の固定金型１５が取付けられる固定盤１６がベッド１７上に固定的に配置されている。また固定盤１６に対して成形金型２７のうち他方の可動金型１８が取付けられる可動盤１９がベッド上面のガイド上を型開閉方向に移動可能に設けられている。
【００１２】
固定盤１６の四隅近傍には型締手段である型締シリンダ２０がそれぞれ設けられ、型締シリンダ２０のロッドがタイバ２１を構成しており可動盤１９の四隅近傍のガイド穴に挿通されている。可動盤１９の背面側のガイド穴の周囲にはハーフナット２２が設けられ、タイバ２１の係止溝と係合可能となっている。型締シリンダ２０は流体供給手段（作動油供給手段）であるポンプ２３からの作動油により作動される。また固定盤１６には型開閉手段のサーボモータ２４が固定され、サーボモータ２４の駆動軸にボールねじ２５が連結されている。また可動盤１９には前記ボールねじ２５が挿通されるボールねじナット２６が固定されている。そして前記サーボモータ２４が駆動することによりボールねじ２５が回転され、ボールねじナット２６とともに可動盤１９が型開閉方向に移動可能となっている。なお型締手段、型開閉手段の機構等は上記のものに限定されず、電動モータにより作動されるトグル機構を用いたもの等でもよい。更に型締シリンダと型開閉シリンダを用いたものでもよい。
【００１３】
次に固定金型１５と可動金型１８からなる成形金型２７と可動コア２８，２９の作動手段について説明する。可動金型１８には複数の可動部として２個の可動コア２８，２９が設けられている。それぞれの可動コア２８，２９は、油圧シリンダ３０，３１（シリンダ）により進退移動される。前記可動コア２８，２９の油圧シリンダ３０，３１は、共通の作動油供給手段であるポンプ２３から作動油（流体）が供給されるようになっている。図１において共通の作動油供給手段とは吐出量が小容量のポンプ２３が１個設けられている。しかし２以上設けられたポンプからそれぞれの油圧シリンダ３０，３１に作動油が供給されるものでもよい。またポンプ２３の種類は限定されず、電動モータとボールねじ機構を組み合わせて流体圧を発生させる流体供給手段等でもよい。本実施形態では型締シリンダ２０に主に送られる作動油は図示しない別のポンプから送られる。
【００１４】
ポンプ２３からの主管路３２には図示しない逆止弁やリリーフ弁が設けられている。また主管路３２の逆止弁が設けられた部分よりも前方の部分からはノズルタッチ用の油圧シリンダやエジェクタ用の油圧シリンダ等の他の油圧シリンダ（図１において※印で表される）へ作動油を供給する管路が分岐している。なお本発明では、ポンプ２３からの主管路３２へ他の用途のポンプから送られた作動油が合流されるものであってもよい。更にはポンプ２３と油圧回路は、成形金型２７の可動コア２８，２９（可動部）の作動専用に設けてもよい。主管路３２はマニホールドブロック３３に接続され、マニホールドブロック３３内で分岐されて分岐管路３４．３５となる。なおマニホールドブロック３３は必須のものでなく、それぞれの分岐管路３４，３５に切換弁等を設けてもよい。
【００１５】
各分岐管路３４，３５には、電磁比例圧力制御弁３６，３７がそれぞれ設けられ油圧シリンダ３０，３１に供給する作動油の圧力が個別に制御可能となっている。また各分岐管路３４．３５の圧力制御弁３６，３７の先にはソレノイド作動・スプリングセンタのセンタクローズド式の三位置四方切換弁３８，３９がぞれぞれ圧力制御弁３６，３７と直列に接続されている。前記三位置四方切換弁３８，３９は、ソレノイドが作動されずにスプリングにより切換弁内のスプールがセンター位置にあるときに作動油の流通を遮断可能な切換弁である。なおセンタクローズド式の三位置四方切換弁３８，３９は同様の機能を有するものであれば他の切換弁でもよい。ただし一つの切換弁により油圧シリンダ３０，３１の作動切換制御と油圧シリンダ３０，３１への作動油の封じ込めが両方可能であることが望ましい。例えば無圧時にバネによりロッドが後退される単動シリンダを油圧シリンダとして使用する場合は、供給位置と封じ込め位置を選択切換えすることのみできる二位置切換弁でもよい。
【００１６】
一方の三位置四方切換弁３８について説明するとＡポートは油圧シリンダ３０の前進側油室３０ａ（シリンダ側油室）に向けて接続され、Ｂポートは油圧シリンダ３０の後退側油室３０ｂ（ロッド側油室）に向けて接続されている。またＰポートは前記分岐管路３４を介してポンプ２３に接続され、Ｔポートはタンク４０に接続されている。そしてＡポートの先の分岐管路には手動式の流量制御弁４１が設けられている。また前記流量制御弁４１と並列して設けられた分岐管路には、ポンプ２３側から油圧シリンダ３０側への作動油の供給のみを阻止する逆止弁４２がセットで設けられている。更にＢポートの先の分岐管路についても前記Ａポート側と同じく電磁比例式の流量制御弁４３が設けられている。また前記電磁比例式の流量制御弁４３と並列して設けられた分岐管路には、ポンプ２３側から油圧シリンダ３０側への作動油の供給のみを阻止する逆止弁４４がセットで設けられている。
【００１７】
なお前記分岐管路３４（Ａポート、Ｂポートから先の分岐管路も含む）には前記油圧シリンダ３０からの作動油の戻りを阻止する逆止弁は配設されていない。そのため別途に逆止弁を設ける費用が削減できる。またマニホールドブロック３３内の分岐管路３５に接続される他方の三位置四方切換弁３９の側も一方の三位置四方切換弁３９と同じ構造の弁であり、油圧シリンダ３１の前進側油室３１ａと後退側油室３１ｂとの間の分岐管路に、流量制御弁４５，４７、逆止弁４６，４８が配置されている。
【００１８】
そしてポンプ２３から油圧シリンダ３０，３１への主管路３２、その先の分岐管路３４，３５のいずれにも蓄圧手段であるアキュームレータは設けられていない。そのためポンプ２３を小容量（一例として型締シリンダに作動油を供給するポンプよりも無負荷時吐出量が小さいポンプ）を使用することと相俟って油圧装置のコストを低減することができる。ただしこれらの構造のために一つの油圧シリンダ３０に作動油を供給する際に分岐管路３４，３５や作動油が継続的に供給されている別の油圧シリンダ３１内の油圧が低下しやすくなっている。
【００１９】
次に本実施形態の射出成形機１１の制御方法について記載する。まず型開閉手段のサーボモータ２４が作動され、可動盤１９および可動金型１８が固定盤１６および固定金型１５に向けて移動され、金型同士が当接すると成形金型２７（固定金型１５と可動金型１８）の型閉が完了する。次に型締手段の型締シリンダ２０により成形金型２７の型締を行う。型締後の当初の状態では可動コア２８，２９は作動油供給機構であるポンプ２３から主管路３２、分岐管路３４，３５を介して作動油が油圧シリンダ３０，３１の前進側油室３０ａ，３１ａにそれぞれ供給され前進側に向けて保持されている。そしてキャビティＣ１の可動コア２９の裏側部分にアンダーカット部Ｃ１ａが形成されている。次に第１の射出装置１３からキャビティＣ１に溶融樹脂が射出される。そしてキャビティＣ１内の溶融樹脂がある程度冷却が進行した段階で、一時的に型締力を低下させて可動コア２８を後退させ、前進時に可動コア２８があった部分に新しくキャビティＣ２を形成する。
【００２０】
この際の油圧装置の作動を更に説明すると、作動油供給手段のポンプ２３からの作動油の供給が継続して行われている状態で、図示しないコントローラからの指令信号により三位置四方切換弁３８のソレノイドｂに制御信号（電流）を送って弁のスプールを作動させ、Ｂポートを介して油圧シリンダ３０の後退側油室３０ｂに作動油を供給する。三位置四方切換弁３８の切換により同時に油圧シリンダ３０の前進側油室３０ａとタンク４０がＴポートを介して接続され、前進側油室３０ａの作動油はドレンに落とされる。この際、後退側油室３０ｂへの作動油の供給は、流量制御弁４３により作動油の供給が絞られるメータイン制御により可動コア２８が急激に後退されないように行われる。そして可動コア２８が後退するとソレノイドｂへの信号送信（電流送信）を中止し、スプールをセンター位置に復帰させて、可動コア２８を位置保持する。
【００２１】
この際分岐管路３４，３５、または分岐管路３４，３５の近傍の主管路３２内の作動油の圧力は後退側油室３９ｂに作動油が大量に送られることにより一時的に低下する。もう一方の可動コア２９はキャビティＣ１内の溶融樹脂のヒケを防止するために前進側油室３０ａに作動油が供給され続ける状態であったが、そのままの三位置四方切換弁３９のＡポートが前進側油室３１ａに接続される状態を保っていると前記のように分岐管路３４，３５内の作動油の圧力低下の影響を受けて油圧シリンダ３１の前進側油室３１ａの圧力も低下してしまう。そして前進側油室３１ａ圧力が低下すると可動コア２９が後退して成形品にヒケが生じる等の問題が発生することも考えられる。また特に可動コア28，２９が自重により後退してしまう場合に問題が発生しやすい。
【００２２】
そこで三位置四方切換弁３８のソレノイドｂの作動直前（これに限定されるものではないが例えば０ｓｅｃより大きく１０ｓｅｃ以内）か、作動と同時に三位置四方切換弁３９のソレノイドａの作動を解除してバネ力により三位置四方切換弁３９をセンター位置に復帰させる。そして三位置四方切換弁３９により分岐管路３５側と油圧シリンダ３１の前進側油室３１ａの接続を断ち切り、前進側油室３１ａに作動油を封じ込める。このようにして分岐管路３５等の圧力低下による影響を受けずに油圧シリンダ３１の前進側油室３１ａの圧力を一時的に保持し、可動コア２９の位置を保持する。
【００２３】
そしてまた、可動コア２８が後退完了して作動油を後退側油室３０ｂへ大量に供給する必要が無くなると、後退完了の直後（これに限定されるものではないが例えば０ｓｅｃより大きく１０ｓｅｃ以内）か後退完了と同時に三位置四方切換弁３９のソレノイドａを作動させて油圧シリンダ３１の前進側油室３１ａに再び作動油を供給し、時間経過により前記前進側油室３１ａから作動油がリークして圧力が低下しないようにする。ただし可動コア２８の後退作動から次に行う可動コア２９の後退作動までの時間が短い場合は、油圧シリンダ３１に作動油を封じ込めたままで、油圧シリンダ３１の前進側油室３１ａに作動油を供給開始しない場合もある。
【００２４】
次に射出成形機１１の側では、新しく形成されたキャビティＣ２に第２の射出装置１４から別の溶融樹脂を射出する。キャビティＣ２への別の溶融樹脂の射出後は、可動コア２８が樹脂圧に負けて後退するとヒケが発生するので、再度、三位置四方切換弁３８のソレノイドａを作動させて可動コア２８の油圧シリンダ３０の前進側油室３０ａに作動油を供給し、可動コア２８を別の溶融樹脂に向けて押圧する。
【００２５】
キャビティＣ１の溶融樹脂とキャビティＣ２の別の溶融樹脂がそれぞれ冷却完了すると型締シリンダ２０の圧抜が行われる。そして次に型締シリンダ２０を用いての離型と型開閉手段のサーボモータ２４による型開きが行われる。この際成形品は可動金型１８側に残されて離型される。そして次にアンダーカット部が形成された成形品を可動金型１８から取り出すために可動コア２９を後退させる。この際は成形品の取出しを容易にするため可動コア２８も後退方向に作動させることが望ましい。
【００２６】
なお本実施形態では成形金型２７の可動コア２８，２９は可動金型に設けられる例について説明したが、可動コアは可動金型および固定金型の少なくとも一方に設けられるものでもよい。また可動コア２８，２９は２個の例で記載したが、可動コアは２個に限定されず更に多数であってもよい。その場合固定盤１６や可動盤１９の少なくとも一方の操作側、反操作側にそれぞれマニホールドブロックが設けられるようにしてもよい。大型の射出成形機１１であって操作側と反操作側のマニホールドブロック同士を接続する管路の距離が長い場合、操作側の複数の可動コアのみの間で、可動コアの作動の際に他の可動コアの油圧シリンダを封じ込めるように切換弁を作動させてもよい。また反操作側の複数の可動コアのグループについては、操作側の複数の可動コアの作動とは関係なく同様の制御を行う。
【００２７】
また可動コアが３個以上ある場合、同時に作動させる可動コアは少なくとも一つであってもよい。２個以上(複数)の可動コアを同時に作動させる場合は、より大量の作動油を必要とし、分岐管路等の油圧がより一層一時的に低下するから、作動させない可動コアは対応する油圧シリンダを封じ込めるように切換弁を作動させ、油圧の低下を防止する必要がある。
【００２８】
また射出成形機に多数の分岐回路と切換弁等の組み合わせを備えている場合でも、成形金型の可動コアの数によってはその全てを使用しないものでもよい。例えば射出成形機の側には、ポンプからの主管路に接続されて２個のマニホールドがあり、各マニホールドには３本の分岐管路と３個の三位置四方切換弁を備え、６個の可動コアの作動に対応できるようになっている。しかし成形金型には２〜５個の可動コアしか備えていない場合、可動コアの数に対応する分岐管路と三位置四方切換弁のみが使用され、使用されない三位置四方切換弁はソレノイドに通電されずセンター位置にあって閉鎖されており、マニホールドから油圧シリンダに接続される供給口も閉鎖されている。
【００２９】
上記の実施形態では複数の可動部は、成形金型の可動コア２８，２９の例について説明した。しかし可動部については、成形金型のホットランナのバルブゲートのバルブや成形品の突出を複数の油圧シリンダにより行うエジェクタの可動部であってもよい。更には回転テーブル等を位置決めする際に突出する位置決めピンであってもよい。即ち比較的小容量の複数のシリンダで射出成形機およびその成形金型の一部を同時または順次に作動させるものであれば、可動部の種類は限定されない。そしてまた複数の可動部は、前記可動コア、バルブゲートのバルブ、エジェクタ、位置決ピン等の複数種が混在したものでもよい。
【００３０】
更に可動部を作動させるシリンダに供給する流体は、作動油を用いることが一般的であるが、大気、ガス、水等でもよい。シリンダを作動させる圧力が比較的圧力が低い場合は、コンプレッサとエアシリンダの組み合わせを用いることでコストを抑制することができる。また前記の油圧シリンダは復動タイプの他、単動タイプでもよく、成形金型内に形成されたゴム袋（プラダ）等がシリンダの役割を果たすものでもよい。
【００３１】
本実施形態では、成形金型が取付けられるのは横型の射出成形機であるが、横型の射出成形機以外に竪型の射出成形機であってもよい。竪型の射出成形機の場合、可動コアの他、エジェクタや位置決めピン等の可動部が自重の影響を受ける方向に設けられることが多い。そして一つの可動部のシリンダに作動油を供給する際に、他の作動されない可動部は進退させる油圧シリンダの油室が減圧されると自重により落下するので、本発明のように切換弁により油圧シリンダ内に作動油を封じ込めることが望ましい。
【００３２】
本発明については、一々列挙はしないが、上記した本実施形態のものに限定されず、当業者が本発明の趣旨を踏まえて変更を加えたものについても、適用されることは言うまでもないことである。また本発明の成形機としては、金属成形を行うダイカスト成形機、プレス成形機、中空成形機、発泡成形機、真空成形機などであってもよい。
【符号の説明】
【００３３】
１１  射出成形機
１５  固定金型
１８  可動金型
２３  ポンプ（液体供給手段）
２８，２９  可動コア（可動部）
３０，３１  油圧シリンダ（シリンダ）
３８，３９  三位置四方切換弁（切換弁）
【図１】
2017035828.tif 000003